(57)【要約】      （修正有） 【課題】グリップを目視するだけで回転印の印影、種別、氏名等所望の情報を視認することができるとともに、グリップを握りやすく、かつグリップの清潔性も保つことのできる回転印を提供する。【解決手段】下端が印判露出用に開口されたケース体２内部に回動自在に配設された回転子に無端の回転ベルト印判２３が巻回され、回転子を回動させて所望の印字部を印判露出窓より露出可能とした回転印判２と、回転印判２上端に接合されるグリップ３とからなる回転印において、グリップ３は、回転印判２の上端に接合されたグリップ本体４と、グリップ本体４の外周を覆うように着脱自在な透明のカバー体５とからなり、グリップ本体４の外方とカバー体５の内方との間隙に表示体７を配設可能とし、カバー体５を透過して表示体７を目視可能とした。【選択図】図１
0003136967.tif 000002
【実用新案登録請求の範囲】
【請求項１】
下端が印判露出用に開口されたケース体内部に回動自在に配設された回転子に無端の回転ベルト印判が巻回され、前記回転子を回動させて所望の印字部を印判露出窓より露出可能とした回転印判と、前記回転印判上端に接合されるグリップとからなる回転印において、前記グリップは、前記回転印判の上端に接合されたグリップ本体と、前記グリップ本体の外周を覆うように着脱自在な透明のカバー体とからなり、前記グリップ本体の外方と前記カバー体の内方との間隙に表示体を配設可能とし、前記カバー体を透過して前記表示体を目視可能としたことを特徴とする回転印。
【請求項２】
表示体は、回転印の印影、種別、氏名等を表示してなる表示シートであることを特徴とする請求項１記載の回転印。
【請求項３】
グリップ本体は円筒状に形成するとともに、カバー体は有底のキャップ型に形成し、前記グリップ本体の上面及び外周側を覆うように前記カバー体を前記グリップ本体に着脱自在に嵌着可能としたことを特徴とする請求項２記載の回転印。
【請求項４】
カバー体の付勢により前記カバー体をグリップ本体に着脱自在に嵌着可能としたことを特徴とする請求項３記載の回転印。
【請求項５】
グリップ本体上縁部には縁周に亘って上方に突出する凸部を形成するとともに前記カバー体の天井部には前記凸部外径と略同一内径の凹部を形成し、前記グリップ本体下方の外周側には前記カバー体開口部内径と略同一外径の段部を形成し、前記カバー体凹部及び前記カバー体開口部の付勢により前記カバー体を前記グリップ体に着脱自在に嵌着可能とするとともに前記グリップ本体上方外周側と前記カバー体内周側の間に表示シート配設用の間隙を形成したことを特徴とする請求項４記載の回転印。
【考案の詳細な説明】
【技術分野】
【０００１】
本考案は回転印に関し、特に回転印に接合されるグリップに当該回転印の印影、種別、氏名等の関連事項等を表示してなる表示体を配設可能としたものである。
【背景技術】
【０００２】
従来、回転印の印影、種別、氏名等を確認するためには、直接印判を目視するか、または印影、種別、氏名等を印字した紙片をグリップに接着して視認していた。また、グリップ部に透明体を配設した印に関する技術として、下記のものがある。特許文献１に記載の印判においては、印判の印字面と反対側の見本面に印影見本と、その表面に透明カバーを配することが記載されているが、その透明カバーは印字面と反対側の端面に着脱自在ではなく固定的に配設され、見本面に印字体ベルトの印影が目視可能となる窓を備えてなる構成である。また、特許文献２に記載の印鑑は、透明な筒体の内側に絵柄を有するシートを配設し注入した合成樹脂と一体に成型した構成である。
【特許文献１】特開２００５−１３２０６８号公報
【特許文献２】特開２００６−１８１８４５号公報
【考案の開示】
【考案が解決しようとする課題】
【０００３】
従来のように、回転印の印影、種別、氏名等を確認するとき、直接印判を目視した場合には、左右が反転した印字部を見ながら最適なものを選択する必要があった。また、回転印の印影、種別、氏名等を表してなる紙片をグリップに接着した場合には、紙片の剥離が起こる、接着剤が残留する等の問題があり、使用者にとっては不便であり清潔なグリップを保つことができなかった。また、印判とグリップの組合せを取り替える場合や、回転印の持ち主が変わった場合等に回転印の印影、種別、氏名等を表してなる表示シートを容易に交換することができなかった。
【０００４】
特許文献１記載の印判においては、グリップ部に透明カバーを配設することは開示されているが、当該透明カバーは印字体ベルトを直接目視可能とするためのものであり、印字体ベルトを目視可能とするための印判の構成は極めて複雑になるという問題がある。さらに、特許文献２記載の印鑑によれば、絵柄を表したシートを合成樹脂と一体に形成するものであり、当該シートは筒体内で合成樹脂を注入して一体化されていて、シートの交換は不可能になっている。
【０００５】
そこで本考案は、グリップを目視するだけで回転印の印影、種別、氏名等所望の情報を視認することができるとともに、グリップを握りやすく、かつグリップの清潔性も保つことのできる回転印を提供することを目的とする。
【０００６】
また、回転印の印影、種別、氏名等を表してなる表示シートをグリップ本体と透明のカバー体の間隙に配設可能とし、当該表示シートを容易に交換することができる回転印を提供することを目的とする。
【０００７】
さらには、グリップ本体と透明カバーの着脱を容易かつ迅速にできる回転印を提供することを目的とする。
【課題を解決するための手段】
【０００８】
上記課題を解決するため、本考案は、下端が印判露出用に開口されたケース体内部に回動自在に配設された回転子に無端の回転ベルト印判が巻回され、前記回転子を回動させて所望の印字部を印判露出窓より露出可能とした回転印判と、前記回転印判上端に接合されるグリップとからなる回転印において、前記グリップは、前記回転印判の上端に接合されたグリップ本体と、前記グリップ本体の外周を覆うように着脱自在な透明のカバー体とからなり、前記グリップ本体の外方と前記カバー体の内方との間隙に表示体を配設可能とし、前記カバー体を透過して前記表示体を目視可能としたことを特徴とする。
【０００９】
表示体は、回転印の印影、種別、氏名等を表示してなる表示シートであることを特徴とする。
【００１０】
グリップ本体は円筒状に形成するとともに、カバー体は有底のキャップ型に形成し、前記グリップ本体の上面及び外周側を覆うように前記カバー体を前記グリップ本体に着脱自在に嵌着可能としたことを特徴とする。
【００１１】
カバー体の付勢により前記カバー体をグリップ本体に着脱自在に嵌着可能としたことを特徴とする。
【００１２】
グリップ本体上縁部には縁周に亘って上方に突出する凸部を形成するとともに前記カバー体の天井部には前記凸部外径と略同一内径の凹部を形成し、前記グリップ本体下方の外周側には前記カバー体開口部内径と略同一外径の段部を形成し、前記カバー体凹部及び前記カバー体開口部の付勢により前記カバー体を前記グリップ体に着脱自在に嵌着可能とするとともに前記グリップ本体上方外周側と前記カバー体内周側の間に表示シート配設用の間隙を形成したことを特徴とする。
【考案の効果】
【００１３】
前記グリップは、前記回転印判の上端に接合されたグリップ本体と、前記グリップ本体の外周を覆うように着脱自在な透明のカバー体とからなり、グリップ本体の外方と前記カバー体の内方との間隙に表示体を配設可能とし、前記カバー体を透過して前記表示体を目視可能としたことにより、グリップを目視するだけで、回転印の印影、種別、氏名等所望の情報を視認することができる。さらには、グリップ本体とカバー体とは着脱自在であるため、何度でも容易に表示体を交換することができる。
【００１４】
表示体は、回転印の印影、種別、氏名等を表示してなる表示シートとしたことにより、グリップ本体に表示シートを巻回した状態で透明カバー体との間隙に配設可能であるため、表示シートの剥離が起こることもなく、表示シートをグリップ本体に接着する必要もなく、またグリップの外形状に影響を及ぼさずに表示体を表示することができる。。  
【００１５】
グリップ本体は円筒状に形成するとともに、カバー体は有底のキャップ型に形成し、前記グリップ本体の上面及び外周を覆うように前記カバー体を嵌着可能としたことにより、他の部材を要することなく表示シートを配設可能なグリップを形成することが可能で、グリップ本体にキャップ型のカバー体を上方から覆い被せるだけで、グリップ本体と透明カバー体を着脱自在に嵌着させることができる。
【００１６】
カバー体の付勢により前記カバー体をグリップ本体に着脱自在に嵌着可能としたことにより、カバー体着脱用の部材を取り付けたり、螺合用のネジ溝を形成したりする必要がなく、コストを安く形成することができ、また、表示シートの交換も容易である。
【００１７】
グリップ本体上縁部には縁周に亘って上方に突出する凸部を形成するとともに前記カバー体の天井部には前記凸部外径と略同一の内径の凹部を形成し、前記グリップ本体下方外周側には前記カバー体内径と略同一径の外径の段部を形成し、前記カバー体の付勢により前記カバー体を前記グリップ体に嵌着可能とするとともに、前記グリップ本体上方外周側と前記カバー体内周側の間に表示シート配設用の間隙を形成することができ、他の部材を要することなくグリップ本体へカバー体を着脱自在にしっかりと嵌着することができるとともに、握りやすいグリップを提供することができる。
【考案を実施するための最良の形態】
【００１８】
図１乃至図３に、本願考案の実施の形態に係る回転印を示す。回転印１は、回転印判２、回転印判２に接合されるグリップ３、回転印判２とグリップ３の接合部に噛ませて印判の露出高を調節するアジャスター６からなる。
【００１９】
回転印判２は、下端が印判露出用に開口された太鼓型のケース体２１内部に軸棒２２により回動自在に配設された不図示の回転子に無端の回転ベルト印判２３が巻回され、回転子と連動する歯車２５を回動させて所望の印字部を印判露出窓２４より露出可能としてなる。
【００２０】
グリップ３は、グリップ本体４とグリップ本体４の外方を覆うように着脱自在な透明のカバー体５からなる。
【００２１】
グリップ本体４は、本実施の形態においては合成樹脂により中空に形成されていて、その内方にはネジ部４４を形成し回転印伴２の上端から突出した不図示のネジと螺合可能とし、回転印判２とグリップ本体４が接合可能になっている。グリップ本体４の下方は略円錐状に形成されその下端は、軸孔６１により軸支された円盤状のアジャスター６を噛ませた状態で回転印判２に接合されるとともに、上方は円筒状に形成され、この円筒部４３の外周側に当該回転印の印影、種別、氏名等の関連事項７aを表示してなる表示シート７を巻回可能としている。
【００２２】
さらに、グリップ本体４の上縁部には、縁周に亘って上方に突出する凸部４２が形成され、後述するカバー体５との嵌着状態において係止部として機能する。また、グリップ本体４下方の外周側には、グリップ下方からカバー体５の肉厚分落ち込みさらに表示シート用の間隙分落ち込むように形成され、嵌着時に当接するカバー体５開口部の内径と略同一の外径に形成された段部４１が形成されている。カバー体５を嵌着したときには、この段部４１の上端は巻回された表示シート７を受けるとともに下端はカバー体５の開口部下端を受け、表示シート７を配設するための間隙７１を確保する。
【００２３】
グリップ本体４の外周を覆うように着脱可能なカバー体５は、内方に配設された表示シート７を目視可能な透明体であり、本実施の形態においては透明合成樹脂で形成され、グリップ本体の上方円筒部４３を覆う程度の大きさに形成されている。カバー体５は、有底のキャップ型に形成されて、グリップ本体４の上面および外周側を覆うように着脱自在に嵌着可能となっている。
【００２４】
カバー体５の天井部には、グリップ本体の凸部４２の外径と略同一内径の凹部５２が形成されていて、カバー体５をグリップ本体４に被せると凸部４２と凹部５２が嵌合されて凹部５２の付勢によりカバー体５がグリップ本体４にしっかりと嵌着されて抜け落ちないようになっている。また、カバー体５の開口部は、グリップ本体４の段部４１の外径と略同一径に形成されていて、カバー体５をグリップ本体４に被せるとカバー体５開口部の付勢によりカバー体５がグリップ本体４にしっかりと嵌着されて抜け落ちないようになっている。
【００２５】
使用者は、グリップ本体円筒部４３に表示シート７を巻回した状態で、グリップ本体４に対して上方からカバー体５を被せるように嵌合させ、カバー体５内にグリップ本体４がしっかりと嵌着して保持されるまで押し込む。また表示シート７を交換するときには、カバー体５を上方に引き抜いてグリップ本体４から外した状態で表示シートを交換する。
【００２６】
尚、本実施の形態においては、回転印判２は太鼓型のものであるが、グリップ３は、図３に示すように他の形状の印判８に接合することも可能になっている。
【図面の簡単な説明】
【００２７】
【図１】本願考案の実施の形態を示す分解斜視図。
【図２】図１に示す回転印のグリップ本体とカバー体の嵌着状態を示す概略説明図。
【図３】本願考案の他の実施の形態の回転印を示す正面図。
【符号の説明】
【００２８】
１    回転印
２    回転印判
２１  ケース体
２２  軸棒
２３  回転ベルト印判
２４  印判露出窓
２５  歯車
３    グリップ
４    グリップ本体
４１  段部
４２  凸部
４３  円筒部
４４  ネジ部
５    カバー体
５１  カバー体開口部
５２  凹部
６    アジャスター
６１  軸孔
７    表示シート
７１  表示シート配設用間隙
８    回転印判
【図１】
0003136967.tif 000003
【図２】
0003136967.tif 000004
【図３】
0003136967.tif 000005